(57)【要約】【課題】リモコン送信機に関し、給電側に対し安定して着脱状態が検出されることを目的とする。【解決手段】電源部８と、操作部９と、操作部９が操作されることによって、被制御機器１４を制御する第１赤外線信号が発信される第１送信部１０と、検知用信号の第２赤外線信号が発信される第２送信部１１と、制御部１２と、受電部１３と、を備え、受電部１３は外部から電力供給を受けていると制御部１２が判定すると第２赤外線信号が第２送信部１１から発信され、受電部１３は外部から電力供給を受けていないと制御部１２が判定すると第２赤外線信号が第２送信部１１から非発信となる。【選択図】図１
2016012907.tif 000002
【特許請求の範囲】
【請求項１】
電源部と、
操作部と、
前記操作部が操作されることによって第１赤外線信号が発信される第１送信部と、
検知用信号の第２赤外線信号が発信される第２送信部と、
前記第１送信部と前記第２送信部と前記電源部と前記操作部とに接続された制御部と、
前記電源部に接続されるとともに非接触給電によって外部から電力が供給される受電部と、を備え、
前記受電部は外部から電力供給を受けていると前記制御部が判定すると、前記第２赤外線信号が前記第２送信部から発信され、
前記受電部は外部から電力供給を受けていないと前記制御部が判定すると、前記第２赤外線信号が前記第２送信部から非発信となる、
リモコン送信機。
【請求項２】
前記第２赤外線信号は所定のビット列信号とした請求項１に記載のリモコン送信機。
【請求項３】
請求項１に記載のリモコン送信機と
非接触給電によって電力を供給する給電部と、第１受信部と、前記給電部と前記第１受信部に接続された給電制御部とを有する給電器と、
を備え、
前記第１受信部が前記第２送信部から発信された第２赤外線信号を受信すると、
前記給電部から前記受電部を介して前記リモコン送信機に電力が供給されるリモコンシステム。
【請求項４】
前記給電部は、前記第１受信部が前記第２赤外線信号を受信してないときには所定の時間間隔で間欠給電し、前記第１受信部が前記第２赤外線信号を受信しているときには連続給電する請求項３に記載のリモコンシステム。
【請求項５】
前記給電器は前記第１送信部からの前記第１赤外線信号を受信する第２受信部と、
接続部と、を備え、
前記接続部を介して、外部へ前記第１赤外線信号に応じた制御信号が出力されると共に外部から前記電力が入力される請求項３記載のリモコンシステム。
【請求項６】
前記第１送信部は前記第１赤外線信号に代えて電波信号を発信し、前記第２受信部は前記電波信号を受信して、前記接続部を介して前記電波信号に応じた制御信号を出力する請求項５記載のリモコンシステム。
【請求項７】
前記第１送信部は前記第２送信部を兼ねると共に、前記第２受信部は前記第１受信部を兼ねる請求項５記載のリモコンシステム。
【請求項８】
前記給電器の前記接続部に、前記第１送信部からの信号によって制御される被制御機器を有線で接続した請求項５から７に記載のリモコンシステム。
【発明の詳細な説明】
【技術分野】
【０００１】
本発明は、各種電子機器に用いられるリモコン送信機およびこれを用いたリモコンシステムに関するものである。
【背景技術】
【０００２】
近年、各種電子機器の多機能化が進むなか、これらを遠隔操作するためのリモコン送信機およびリモコンシステムにおいて、リモコン送信機本体に液晶表示素子等の表示部を設けたものが増えている。このような表示部を設けたリモコン送信機は表示部の点灯時に消費電力が大きくなる傾向にある。そこで、リモコン送信機をクレードル等のホルダーに装着してホルダーがリモコン送信機に給電し、給電時には表示部が長時間にわたって継続して点灯することが可能となる構成が知られている。
【０００３】
このような従来のリモコン送信機およびリモコンシステムについて、図５を用いて説明する。図５は従来のリモコン送信機およびリモコンシステムのブロック図である。各種電子機器を遠隔操作するリモコン送信機１は、操作者によって操作されるときはホルダー２から外され、あるいは、給電が必要な場合にはホルダー２へ装着される。
【０００４】
ここで例えば、リモコン送信機１が装着されたことをホルダー２に備えられた検知スイッチ３が検知することにより、これに対応してホルダー制御部４が給電部５を始動させて受電部６へ電力を供給させる。これにより、ホルダー２はリモコン送信機１への給電を開始することや、あるいはリモコン送信機１の表示部（図示せず）を点灯させたりするものであった。また、検知スイッチ３には一般的に構造が簡単な機械式スイッチ接点が適用されていた。
【０００５】
なお、この出願の発明に関連する先行技術文献情報としては、例えば、特許文献１が知られている。
【先行技術文献】
【特許文献】
【０００６】
【特許文献１】特開２００２−２７６６６号公報
【発明の概要】
【発明が解決しようとする課題】
【０００７】
しかしながら、従来のリモコン送信機およびリモコンシステムにおいて機械式スイッチ接点を検知スイッチ３に適用すると機械式スイッチ接点における接点の状態に伴い、ホルダー２のリモコン送信機１に対する着脱状態検出は不安定化してしまうおそれがあるという課題があった。
【０００８】
これは、ホルダー２にはリモコン送信機１が装着されていないことが多く、このため温度、湿度あるいは腐食性ガス等の周囲環境から検知スイッチ３の機械式スイッチ接点の表面状態が影響を受け易くなる。これにより、機械式スイッチ接点における接点の接触状態が不安定となり、検知スイッチ３による検知が不安定となるおそれがあるものであった。これはまた、ホルダー制御部４は不十分な給電の指示などを繰り返し、結果としてリモコン送信機１への給電時の電力効率を低下させてしまうおそれがあるものであった。
【０００９】
本発明は、このような従来の課題を解決するものであり、安定した着脱検出を可能とし、リモコン送信機への給電が確実なリモコン送信機およびリモコンシステムを提供することを目的とする。
【課題を解決するための手段】
【００１０】
上記目的を達成するために本発明は、電源部と、操作部と、前記操作部が操作されることによって第１赤外線信号が発信される第１送信部と、検知用信号の第２赤外線信号を発信する第２送信部と、前記第１送信部と前記第２送信部と前記電源部と前記操作部とに接続された制御部と、前記電源部に接続されるとともに非接触給電によって外部から電力が供給される受電部と、を備え、前記受電部は外部から電力供給を受けていると制御部が判定すると前記第２赤外線信号が前記第２送信部から発信され、前記受電部は外部から電力供給を受けていないと制御部が判定すると前記第２赤外線信号が前記第２送信部から非発信となる、ことを特徴としたものである。これにより、リモコン送信機から第２赤外線信号が発信されることで給電側に対する着脱状態が安定して検出され、リモコン送信器は確実に受電することができるという作用を有する。
【発明の効果】
【００１１】
以上のように本発明によれば、リモコン送信機は安定して給電側に対する着脱状態が検出され、この結果としてリモコン送信器は確実に給電されて電力効率のよい受電が可能となる効果が得られる。
【図面の簡単な説明】
【００１２】
【図１】本発明の実施の形態１によるリモコン送信機の機能ブロック図
【図２】本発明の実施の形態１によるリモコン送信機およびリモコンシステムの外観図
【図３】本発明の実施の形態１によるリモコン送信機およびリモコンシステムの断面図
【図４】本発明の実施の形態１によるリモコン送信機およびリモコンシステムの機能ブロック図
【図５】本発明の実施の形態２によるリモコン送信機およびリモコンシステムのリモコン送信機が給電器に載置された状態の外観図
【図６】本発明の実施の形態２によるリモコン送信機およびリモコンシステムのリモコン送信機が給電器に載置された状態の断面図
【図７】本発明の実施の形態２によるリモコン送信機およびリモコンシステムのリモコン送信機が給電器から分離した状態の外観図
【図８】従来のリモコン送信機およびリモコンシステムのブロック図
【発明を実施するための形態】
【００１３】
以下、本発明の実施の形態について、図１〜図７を用いて説明する。
【００１４】
（実施の形態１）
図１は本発明の実施の形態１によるリモコン送信機の機能ブロック図である。図１に示すようにリモコン送信機７は、電源部８と、操作部９と、第１送信部１０と、第２送信部１１と、制御部１２と、受電部１３とを含む。
【００１５】
操作者が操作部９を操作することによって、第１送信部１０は被制御機器１４を制御するための第１赤外線信号を発信する。また、第２送信部１１は検知用の第２赤外線信号を発信する。電源部８と、操作部９と、第１送信部１０と、第２送信部１１とは、制御部１２に接続されている。受電部１３は電源部８に接続されている。また受電部１３は非接触給電によってリモコン送信機７の外部から電力供給を受ける。
【００１６】
受電部１３は外部から電力供給を受けていると制御部１２が判定すると、第２赤外線信号が第２送信部１１から発信される。また、受電部１３が外部から電力供給を受けていないと制御部１２が判定すると、第２赤外線信号が第２送信部１１から発信されない。
【００１７】
以上の構成および動作によって、リモコン送信機７は、外部の機器がリモコン送信機７を検知するための専用の信号を発信する。そして、この信号は赤外線信号であることから、発信および検知双方の機能は非接触で行われるため、温度、湿度あるいは腐食性ガス等の周囲環境の影響を受け難い。この結果、リモコン送信機７は安定して着脱状態が検出される。そのため外部の電力供給源はリモコン送信機７へ給電可能か否かの判定ができるので、良好な電力効率でリモコン送信機７は給電される。
【００１８】
以下、リモコン送信機７の構造および動作について給電器１５の構造および動作をふまえ詳しく説明する。図２は本発明の実施の形態１によるリモコン送信機およびリモコンシステムの外観図であり、図３は本発明の実施の形態１によるリモコン送信機およびリモコンシステムの断面図であり、図４は本発明の実施の形態１によるリモコン送信機およびリモコンシステムの機能ブロック図である。
【００１９】
図２〜図４に示すように、リモコン送信機７は操作面９ａにゴム接点等のスイッチ接点からなる複数の操作部９が配設され、それらの近傍には液晶表示素子等の表示部１８が配置されている。
【００２０】
そして、リモコン送信機７の一端部には赤外線ＬＥＤからなる第１送信部１０が配置され、操作面９ａと異なる載置面２１には赤外線ＬＥＤからなる第２送信部１１やコイル等からなる受電部１３が配置されている。
【００２１】
また、マイコン等からなる制御部１２に電源部８、操作部９、第１送信部１０、第２送信部１１および表示部１８が接続されている。また、ＩＣやトランジスタ回路等からなる電源部８に受電部１３および電池部８ａが接続されている。さらに、合成樹脂などで形成されたケース７ａは操作面９ａや載置面２１などを有する。
【００２２】
そして、リモコン送信機７はケース７ａ内および表面に収納あるいは配置された電源部８、電池部８ａ、操作部９、第１送信部１０、第２送信部１１、制御部１２、受電部１３および表示部１８などを有する。
【００２３】
給電器１５は、給電部１６、給電制御部１７、第１受信部１９、およびＡＣアダプター２０を有する。給電器１５には、リモコン送信機７が載置される支持面２２に、赤外線受光ＩＣからなる第１受信部１９やコイル等からなる給電部１６が配置されている。そして、マイコン等からなる給電制御部１７に給電部１６および第１受信部１９が接続されている。
【００２４】
なお、リモコン送信機７が給電器１５に載置された状態において、リモコン送信機７の第２送信部１１が第１受信部１９と対向すると共に、受電部１３が給電部１６に対向するように各々配置されている。
【００２５】
また、第１受信部１９、給電部１６、給電制御部１７が合成樹脂製のケース１５ａに収納され、給電制御部１７に接続されたＡＣアダプター２０がケース１５ａの外方に延出されている。
【００２６】
そして、リモコンシステムはリモコン送信機７と給電器１５とを有している。
【００２７】
リモコン送信機７が給電器１５に載置されているときには、給電器１５は交流電源からＡＣアダプター２０を介して電力の供給を受け、さらに給電器１５はリモコン送信機７へ電力を供給する。
【００２８】
また、リモコン送信機７が給電器１５に載置されているときには、常時あるいは一時的において表示部１８が点灯している。また、リモコン送信機７が給電器１５に載置されていないときには、表示部１８が消灯している。なお、表示部１８の点灯および消灯については、後に説明する。
【００２９】
ここで、リモコン送信機７と給電器１５とは、電力の受給および情報の受給とを非接触で行う。つまり、電力に関しては給電部１６が受電部１３へ非接触で電力を供給する。そして、この電力供給に関する動作の基準となる信号は、第２送信部１１から第１受信部１９へ非接触で赤外線として発信される。
【００３０】
図４に示すように、リモコン送信機７には給電器１５からの非接触給電によって電力が供給される。ここで、給電部１６には給電制御部１７から交流電流が供給され、この交流電流によって生じる磁力の電磁誘導により、受電部１３に交流電流が誘起される。そして、受電部１３で誘起された交流電流は電源部８で整流されて、直流電流へと変換される。以下の説明では便宜上、電源部８と電池部８ａとは区別して示されているが、実際の動作としては単一の電源部８が電池部８ａを包含して構成されても何ら問題はない。
【００３１】
まず、第１の動作として通常動作時のリモコン送信機７および給電器１５の動作について説明する。これはリモコン送信機７と給電器１５とは別々に位置している状態であり、一般的に操作者がリモコン送信機７によって被制御機器１４を操作しようとしているとき、あるいは操作しているときに相当する。
【００３２】
リモコン送信機７が給電器１５から離れているとき、リモコン送信機７は電池部８ａの電力を用いて動作する。また、リモコン送信機７が給電器１５から離れているとき、給電器１５の給電部１６から発せられる磁力線は受電部１３内の磁気回路機能とは鎖交しない。つまり、受電部１３は給電部１６から電力供給を受けない。そして、受電部１３が電力供給を受けていないことを、電源部８に接続された制御部１２が検知すると、電源部８が継続して制御部１２へと電力を供給する。ここで例えば第１の動作では、給電部１６には５秒間隔で１秒間、間欠的に給電制御部１７から電力が供給される。
【００３３】
ここで、操作者がリモコン送信機７の操作部９を押圧することや触れることなどによってリモコン送信機７を操作すると、この操作に応じて操作信号が制御部１２へ入力される。これによって、制御部１２は被制御機器１４を制御するための第１赤外線信号を発信するよう第１送信部１０に指示を出す。そして、例えばエアコンなどの被制御機器１４は第１赤外線信号によって任意の状態に制御される。
【００３４】
また、操作者によって操作信号が制御部１２に入力されると、これに応じて表示部１８が消灯状態から点灯状態へときりかえられる。あるいは、表示部１８における点灯状態の表示内容が更新される。また、表示部１８が点灯状態となった後や表示部１８の表示内容が更新された後に、所定期間内に操作信号が新たに入力されないときは、その時点で制御部１２は表示部１８を消灯させるように指示する。ここで、所定期間とは数十秒程度あればよい。
【００３５】
このとき、リモコン送信機７は第２赤外線信号を発信していないため、給電器１５の第１受信部１９は第２赤外線信号を検知しない。よって、給電制御部１７は常時の電力供給が必要ない状態であると判定して、給電部１６へと間欠動作で電流を流す。この間欠動作としては先に述べた場合と同等に、給電制御部１７は５秒間隔で１秒間電流を流せばよい。
【００３６】
次に、第２の動作として給電載置時のリモコン送信機７および給電器１５の動作について説明する。これはリモコン送信機７が給電器１５に載置された状態であり、一般的に操作者がリモコン送信機７に給電しようとしているとき、あるいは給電器１５における所定位置である支持面２２に保持させているときに相当する。
【００３７】
ここで、リモコン送信機７が給電器１５の所定位置、つまり、受電部１３と給電部１６とが対向し、かつ第２送信部１１と第１受信部１９とが対向して第２送信部１１の第２赤外線信号が第１受信部１９によって検出されることが可能な状態に載置される。すると、給電部１６への間欠動作の電流による磁力線が受電部１３内の磁気回路機能と鎖交する。つまり、給電部１６から受電部１３へと間欠の電力が供給される。
【００３８】
そして、受電部１３が間欠電力によって所定の閾値以上の電力供給を受けていることを制御部１２が検知すると、制御部１２は第２送信部１１に第２赤外線信号を発信するよう指示する。ここで第２赤外線信号には給電部１６を給電起動させるための起動信号として所定のビット列信号が用いられる。そしてこのビット列信号である第２赤外線信号は定期的に第２送信部１１から発信される。ここでは上記の定期的な発信の間隔は、先に述べた給電器１５における給電部１６への間欠動作による電流供給と同様に５秒間隔程度でよい。あるいは、消費電力は多少増えるが、第２送信部１１から赤外線信号を連続発信してもよい。
【００３９】
先に通常動作時に関して述べたように、給電器１５の第１受信部１９はリモコン送信機７の第２送信部１１からの第２赤外線信号を常時において検知可能な状態となっている。そして、リモコン送信機７が給電器１５の所定位置に配置されたときには、第２送信部１１と給電器１５の第１受信部１９が近接するので、第１受信部１９と給電制御部１７は第２赤外線信号を受信および検知する。さらに、第２赤外線信号は所定のビット列信号であると給電制御部１７が判定すると、給電制御部１７は給電部１６に対して、間欠動作の電流供給から連続した電流供給へと切り替える。当然ながら、連続した電流供給は間欠動作の電流供給よりも大きな電力を供給する。
【００４０】
これにより、給電部１６は連続して受電部１３へと電力供給を始める。そして、受電部１３が連続して電力供給を受けていることを制御部１２は検知すると、電源部８は電池部８ａによる電力供給を停止するとともに、電源部８は受電部１３からの電力によって動作および制御部１２への電力供給を始める。
【００４１】
さらに、給電部１６が連続して電力供給されると、表示部１８が消灯状態の場合は点灯状態へと切り替えられ、表示部１８は点灯状態を継続した常時表示となる。
【００４２】
このように、リモコン送信機７に給電器１５から連続して電力供給されることによって、リモコン送信機７の表示部１８を常時表示状態にできるため、操作者は例えば時刻や室内の気温や湿度を確認するためにリモコン送信機７の操作部９を操作して表示状態にする必要がなく、給電器１５に載置されたリモコン送信機７の表示部１８を視認することで、常時確認できるようになって利便性が向上する。
【００４３】
上記に示した、給電部１６への連続した電力供給は、受電部１３が所定の閾値以上の電力供給を受けていると制御部１２が判定する間は継続される。つまり、受電部１３が所定の閾値以上の電力供給を受けている間は、第２赤外線信号が定期的に第２送信部１１から発信される。
【００４４】
ここでは通常動作時と同様に、操作者がリモコン送信機７の操作部９を押圧することや触れることなどによってリモコン送信機７を操作すると、この操作に応じて操作信号が制御部１２へ入力される。これによって、制御部１２は第１送信部１０に第１赤外線信号を発信するよう指示する。そして、例えばエアコンなどの被制御機器１４は第１赤外線信号によって任意の状態に制御される。
【００４５】
なお、その後に、所定期間内に操作信号が新たに入力されないときは、その時点で制御部１２は表示部１８を消灯させるようにしてもよい。ここで、所定期間とは数十秒程度あればよい。
【００４６】
また、先にも述べたように第２送信部１１は、主にこれはリモコン送信機７が給電器１５に載置され、第１受信部１９に近接した状態で機能を果たすものである。つまり、第２赤外線信号は、リモコン送信機７が給電器１５に正しく載置された際に第１受信部１９によって検知されるものである。従って、制御部１２は第２送信部１１が発する第２赤外線信号を第１送信部１０が発する第１赤外線信号よりも小さな電力で発信すればよい。そして、第１受信部１９は近接配置での検出を行うため、弱い赤外線信号であっても的確に検出することができる。
【００４７】
これにより、リモコン送信機７の消費電力を低減させることができる共に、第２送信部１１の赤外線ＬＥＤは第１送信部１０のものより低価格で、第１受信部１９の赤外線受光ＩＣも比較的低価格のものにすることができる。
【００４８】
次に、第３の動作として給電離脱時のリモコン送信機７および給電器１５の動作について説明する。これはリモコン送信機７が給電部１６から再び離されて別々に位置された状態であり、操作者がリモコン送信機７によって被制御機器１４を再び操作しようとしているとき、あるいは操作しているときに相当する。
【００４９】
リモコン送信機７が給電器１５に載置されていた状態から離脱させられると、まず、給電部１６から発せられる磁力線は受電部１３内の磁気回路機能と鎖交していた状態から鎖交しなくなる状態へと移行する。つまり、給電部１６から受電部１３へと電力は供給されなくなる。そして、受電部１３が電力を受けなくなったことを電源部８に接続された制御部１２が検知すると、再び電源部８は電池部８ａの電力を用いて制御部１２へ電力を供給する。これに加えて、制御部１２は第２送信部１１に第２赤外線信号の発信を停止するよう指示する。つまり、給電器１５が連続して給電するための起動信号が停止される。
【００５０】
そして、この時点で制御部１２は表示部１８が一旦点灯するように指示する。この後、引き続いて操作者からの操作がない場合は、その時点で制御部１２は表示部１８を消灯させるように指示する。
【００５１】
また、引き続いて操作者がリモコン送信機７の操作部９を押圧することや触れることなどによってリモコン送信機７を操作すると、この操作に応じて操作信号が制御部１２へ入力される。これによって、制御部１２は第１送信部１０に第１赤外線信号を発信するよう指示する。そして、例えばエアコンなどの被制御機器１４は第１赤外線信号によって任意の状態に制御される。
【００５２】
また、操作信号が制御部１２に入力されると、これに応じて表示部１８が消灯状態から点灯状態へときりかえられる。あるいは、点灯状態の表示内容が更新される。また、表示部１８が点灯状態となった後や表示部１８の表示内容が更新された後に、所定期間内に操作信号が新たに入力されないときは、その時点で制御部１２は表示部１８を消灯させるように指示する。ここで、所定期間とは数十秒程度あればよい。これらリモコン送信機７の操作部９に関連する動作については通常動作時と同様である。
【００５３】
先に通常動作時および給電載置時に関して述べたように、給電器１５の第１受信部１９はリモコン送信機７の第２送信部１１からの第２赤外線信号を常時において検知可能な状態となっている。ここでは、リモコン送信機７が給電器１５から離れ、これに加えて第２赤外線信号の発信が停止されるため、給電器１５の第１受信部１９は第２赤外線信号を検知しなくなる。よって、給電制御部１７は常時の電力供給が必要ない状態であると判定する。これにより給電制御部１７は給電部１６に対する連続した電流供給から間欠動作の電流供給へと切り替える。この間欠動作は先に述べた通常動作時と同様に、給電制御部１７は５秒間隔で１秒間電流を流せばよい。
【００５４】
以上のように、第１の動作として通常動作時、第２の動作として給電載置時、第３の動作として給電離脱時と個別に、あるいは順に、それぞれリモコン送信機７および給電器１５は動作する。
【００５５】
またここでは、第１の動作、第２の動作、第３の動作と順に説明しているが、第２の動作、第３の動作、第１の動作と順に説明してもそれぞれの動作に変化はない。
【００５６】
またあるいは、第１の動作、第２の動作、第３の動作は順序に関係なく、個々の動作が完結できる。
【００５７】
以上の動作により、リモコン送信機７は給電器１５からの間欠動作による弱い電力を検知し、これに対応して赤外線信号のビット列信号を給電器１５に送信する。そして給電器１５はこの信号を正確に検知することで、リモコン送信機７に対して連続して給電する状態へと移行する。つまり、リモコン送信機７もしくは給電器１５の何れかが検知することで連続給電が始まるのではなく、リモコン送信機７および給電器１５の双方が互いに検知することで連続給電が始まる。
【００５８】
したがって、リモコン送信機７は給電器１５に対して所定位置に載置されることによって、的確に給電されることになる。この結果として、不十分な充電が繰り返し実施されることはなく、これによる電力損失は抑制されて給電時の電力効率が低下することはない。
【００５９】
また、ビット列信号は赤外線信号を使用しているので、第２送信部１１や第１受信部１９が周囲環境の塵芥等が付着してもその影響を受け難い。したがって、相互の所定位置での検出が安定し確実に行なわれる。
【００６０】
また、リモコン送信機７が給電器１５から離されているときには、第２送信部１１は第２赤外線信号の発信を停止するので、電池部８ａに蓄積された電力の消耗が抑制される。
【００６１】
また、第２赤外線信号には給電部１６を給電起動させるための起動信号としてビット列信号が用いられる。これにより、信号の誤認識やこれに伴う誤動作の発生が抑制される。
【００６２】
以上の説明で電池部８ａは一次電池として説明している。しかしながら、電池部８ａは二次電池を適用しても構わない。電池部８ａが二次電池である場合、リモコン送信機７が給電器１５から連続して電力供給を受けていることを制御部１２が検知すると、制御部１２は電池部８ａを充電するように電源部８を制御するとよい。
【００６３】
（実施の形態２）
次に、図５〜図７を用いて本発明の実施の形態２について説明する。
【００６４】
図５は本発明の実施の形態２におけるリモコン送信機およびリモコンシステムのリモコン送信機が給電器に載置された状態の外観図、図６は同じく断面図、図７はリモコン送信機が給電器から分離した状態の外観図である。
【００６５】
図５〜図７に示すように、実施の形態１と同様に、リモコン送信機２７は操作面２９ａに表示部３８や操作部２９を有し、リモコン送信機２７の一端部に第１送信部３０を有する。また、リモコン送信機２７の載置面４１には第２送信部３１や受電部３３が配設され、内部に制御部（図示せず）、電源部（図示せず）および電池部（図示せず）を有している。
【００６６】
なお、リモコン送信機２７の一端部に備えた第１送信部３０の赤外線ＬＥＤの発光面が、操作面に対し略直交方向となるように外方に向いて配置されている。
【００６７】
また、実施の形態１と同様に、給電器３５が支持面４２の内側に第１受信部３９、給電部３６および給電制御部３７を有する。
【００６８】
そして、リモコン送信機２７が載置された状態で、第１受信部３９と給電部３６は、リモコン送信機２７の第２送信部３１と受電部３３に各々対向して近接配置される。
【００６９】
実施の形態１と異なる点は、給電器３５はリモコン送信機２７の第１送信部３０から発信される第１赤外線信号を受信する第２受信部４４と、外部へ第１赤外線信号に応じた制御信号が出力されると共に外部から電力が入力される接続部４５を有することである。
【００７０】
図６に示すように、給電器３５は側面視において一側方が開いた略コ字形状で、一端の突出部３５ａ内に受光ＩＣなどの第２受信部４４が設けられ、その外方には断面視が略Ｌ字形状の赤外線透光部３５ｂが配置されている。
【００７１】
第２受信部４４はその受光面の軸線Ａが支持面４２に対し外側方向の角度θが３０度から６０度の範囲内、好ましくは４０度から５０度の範囲内に傾斜して配置されている。略Ｌ字形状の赤外線透光部３５ｂは第２受信部４４の受光面に対向して配置されると共に、支持面４２に対し略平行方向から略直交方向以上の範囲の外方から赤外線が透光するように配置されている。
【００７２】
これにより、リモコン送信機２７が給電器３５に載置された状態や、図７に示すように、リモコン送信機２７が給電器３５から離脱した状態においても、リモコン送信機２７の第１送信部３０から発信された第１赤外線信号を、外方の広い範囲から赤外線透光部３５ｂを介して一つの第２受信部４４で受信することができる。
【００７３】
なお、赤外線透光部３５ｂは断面視が略Ｌ字形状としたが、略円弧形状や略直線形状など、第２受信部４４が広い範囲で外方からの第１赤外線信号を受信できる断面形状であれば良い。
【００７４】
また、給電器３５の接続部４５は一端部の突出部３５ａ内に配置され、一方が内部の給電制御部３７に接続されると共に、他方は例えばエアコンなどの被制御機器３４から延出したケーブル４３の一端が接続される。接続部４５はコネクターあるいはリード線がはんだ付け又はカシメ結合など確実に接続固定される金属端子でも良い。
【００７５】
このように、リモコン送信機２７と給電器３５とによって本実施の形態２のリモコンシステムは構成されている。
【００７６】
以上の構成のリモコンシステムの動作について説明する。
【００７７】
このようなリモコンシステムの給電器３５は、図６に示すように、例えば、室内の上方に設置されたエアコンなどの被制御機器３４に対し、下方の側壁に離れて配置される。
【００７８】
被制御機器３４と給電器３５の接続部４５がケーブル４３によって有線で接続されて、被制御機器３４から給電器３５に電力が供給される。
【００７９】
そして、側面視略コ字形状の給電器３５の上方の突出部３５ａと下方の突出部の間の支持面４２にリモコン送信機２７の載置面４１を当接させて、リモコン送信機２７が給電器３５に保持された状態で載置される。
【００８０】
リモコン送信機２７が給電器３５に載置された状態では、実施の形態１と同様に、第２送信部３１と第１受信部３９によってリモコン送信機２７および給電器３５の双方が互いに検知することで、受電部３３と給電部３６によって、給電器３５からリモコン送信機２７に連続給電される。
【００８１】
このとき、リモコン送信機２７の操作部２９を押圧操作すると、その操作に応じて操作信号が制御部に入力され、制御部は第１送信部３０から所定の第１赤外線信号を発信させる。この第１赤外線信号は赤外線透光部３５ｂを介して第２受信部４４に受信され、接続部４５およびケーブル４３を介して第１赤外線信号に応じた制御信号が被制御機器３４に送信されて、被制御機器３４が任意の状態に制御される。
【００８２】
このように、接続部４５を介して被制御機器３４から給電器３５に電力が供給されると共に、給電器３５から被制御機器３４に制御信号の送信が行なわれる。次に、リモコン送信機２７を給電器３５から離脱した状態では、実施の形態１と同様に、リモコン送信機２７は電池部の電力を用いて作動する。
【００８３】
このとき、リモコン送信機２７の第１送信部３０を給電器３５に向けて操作部２９を押圧操作すると、その操作に応じて操作信号が制御部に入力され、制御部は第１送信部３０から所定の第１赤外線信号を発信させる。この第１赤外線信号は給電器３５の赤外線透光部３５ｂを介して第２受信部４４に受信され、接続部４５およびケーブル４３を介して第１赤外線信号に応じた制御信号が被制御機器３４に送信されて、被制御機器３４が任意の状態に制御される。
【００８４】
このように、実施の形態２によれば、給電器３５が給電制御部３７や第１受信部３９および受電部３３に加え、リモコン送信機２７の第１送信部３０からの第１赤外線信号を受信する第２受信部４４と、第１赤外線信号に応じた制御信号が出力されると共に外部から電力が入力される接続部４５とを有することによって、被制御機器３４と給電器３５の接続部４５を有線で接続することで、実施の形態１のように給電器３５にＡＣアダプターを用いて電力を供給する必要がなく、簡易な構成なものにすることができる。さらに、一つのリモコン送信機２７で、給電器３５に載置して壁面設置された有線のリモコン送信機として、また、給電器３５から外して用いることにより、無線のリモコン送信機として、両者を兼ねて用いることができるという利便性を有する。
【００８５】
なお、以上の説明では、リモコン送信機２７を操作することによって被制御機器３４を制御する第１赤外線信号を発信する第１送信部３０と、給電器３５の第１受信部へ第２赤外線信号を発信する第２送信部３１を各々異なる位置に設けた構成として説明したが、第１送信部が第２送信部を兼ねると共に、第２受信部が第１受信部を兼ねて、第１送信部から第１赤外線信号と第２赤外線信号を互いに混信しないようにして第１受信部に発信する構成としてもよい。
【００８６】
これにより、第１赤外線信号と第２赤外線信号の識別制御がやや複雑になり、やや消費電力は大きくなるが、第２送信部や第１受信部を省くことができ、構造が簡易でより安価なものにすることができる。
【００８７】
なお、以上の説明では、被制御機器３４を制御する信号として第１赤外線信号を用いた構成としたが、第１送信部および第２受信部が各々ＲＦモジュールを備え、第１送信部からの電波信号を第２受信部が受信し、この電波信号に応じた制御信号によって被制御機器を制御する構成としても本発明の実施は可能である。
【産業上の利用可能性】
【００８８】
本発明によるリモコン送信機およびリモコンシステムは、リモコン送信機は安定して着脱状態が検出されて確実に給電される効果を有し、各種電子機器等に有用である。
【符号の説明】
【００８９】
７  リモコン送信機
７ａ  ケース
８  電源部
８ａ  電池部
９、２９  操作部
１０、３０  第１送信部
１１、３１  第２送信部
１２  制御部
１３、３３  受電部
１４、３４  被制御機器
１５、３５  給電器
１５ａ  ケース
１６、３６  給電部
１７、３７  給電制御部
１８、３８  表示部
１９、３９  第１受信部
２０  ＡＣアダプター
２１、４１  載置面
２２、４２  支持面
２７  リモコン送信機
３５ａ  突出部
３５ｂ  赤外線透光部
４３  ケーブル
４４  第２受信部
４５  接続部
【図１】
2016012907.tif 000003
【図２】
2016012907.tif 000004
【図３】
2016012907.tif 000005
【図４】
2016012907.tif 000006
【図５】
2016012907.tif 000007
【図６】
2016012907.tif 000008
【図７】
2016012907.tif 000009
【図８】
2016012907.tif 000010